【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
少なくとも１種の第１モノマー単位と少なくとも１種の第２モノマー単位とを含む共重合体であって、該少なくとも１種の第１モノマー単位が式Ｉを有し、かつ、該少なくとも１種の第２モノマー単位が（ｉ）式ＩＩを有する芳香族基、（ｉｉ）式ＩＩＩを有する６員環複素芳香族基、（ｉｉｉ）式ＩＶを有する５員環複素芳香族基、（ｉｖ）式Ｖを有する芳香族基、（ｖ）式ＶＩ、式ＶＩＩ、および式ＶＩＩＩから式ＸＩを有する縮合環芳香族基、ならびに（ｖｉ）それらの組合せから選択され、
【化１】
2004533509.tif 000001
【化２】
2004533509.tif 000002
ここで、式Ｉ、ＩＩ、ＩＩＩ、ＩＶ、Ｖ、ＶＩ、ＶＩＩ、ＶＩＩＩ〜ＸＩの各々において、
Ｒは、各出現において同じまたは異なるものであり得る炭素原子上の置換基であり、かつ、水素、アルキル、アリール、ヘテロアルキル、ヘテロアリール、Ｆ、−ＣＮ、−ＯＲ1、−ＣＯ2Ｒ1、−ＣΨＨθＦλ、−ＯＣΨＨθＦλ、−ＳＲ1、−Ｎ（Ｒ1）2、−Ｐ（Ｒ1）2、−ＳＯＲ1、−ＳＯ2Ｒ1、−ＮＯ2、および式ＸＩＩを有しかつ「式ＸＩＩ」のもとで以下にさらに記載されるベータ−ジカルボニルから選択され、または隣接するＲ基は一緒になって５もしくは６員環シクロアルキル、アリール、またはヘテロアリール環を形成することができ、
【化３】
2004533509.tif 000003
（ここでＲ1は、各出現において同じまたは異なるものであり得るヘテロ原子上の置換基であり、かつ、アルキル、アリール、ヘテロアルキルおよびヘテロアリールから選択され、
Ψは１〜２０の間の整数であり、かつ、θおよびλは、下の方程式Ａ１
θ＋λ＝２Ψ＋１    （方程式Ａ１）
を満足する整数である）、
式ＩＩ、ＩＩＩ、ＩＶ、Ｖ、ＶＩ、ＶＩＩ、ＶＩＩＩ、およびＩＸの各々において、
Ｅは、各出現において同じまたは異なるものであることができ、かつ、単結合またはアリーレンおよびヘテロアリーレンから選択された連結基であり、
式ＩＶにおいて、
Ａは各出現において独立してＣまたはＮであり、そして、両ＡがＮである場合、γは０であり、またはＡの１つがＮであり、かつ、Ａの１つがＣである場合、γは１であり、または両ＡがＣである場合、γは２であるように、γは０、または１もしくは２から選択される整数であり、
ＱはＯ、Ｓ、ＳＯ2またはＮＲ1であり、
（ここで、Ｒ1は、各出現において同じまたは異なるものであり得るヘテロ原子上の置換基であり、かつ、アルキル、アリール、ヘテロアルキルおよびヘテロアリールから選択される）、
式Ｖにおいて、
Ｑ1はカルボニル基、Ｏ、Ｓ、ＳＯ2、またはＮＲ1であり
（ここで、Ｒ1は、各出現において同じまたは異なるものであり得るヘテロ原子上の置換基であり、かつ、アルキル、アリール、ヘテロアルキルおよびヘテロアリールから選択される）、
ＷはＨ，アルキルもしくはヘテロアルキルであり、またはＷの両方が一緒になって１つの単結合を表すことができ、
式ＶＩにおいて、
２つのＥは１，４−、１，５−、１，８−、２，３−、または２，６−位にあり、
式ＶＩＩにおいて、
２つのＥは１，４−、１，５−、１，８−、２，３−、２，６−、または９，１０−位にあり、
式ＶＩＩＩにおいて、
第１のＥは１、２、または３位にあり、第２のＥは６、７、または８位にあり、
式ＩＸにおいて、
第１のＥは２、３、または４位にあり、第２のＥは７、８、または９位にあり、および、
式ＸＩＩにおいて、
Ｒ2は水素、アルキル、アリール、ヘテロアルキルおよびヘテロアリールから選択され、
δは０または１〜１２の整数である
ことを特徴とする共重合体。
【請求項２】
請求項１の共重合体を含む少なくとも１つの電子活性層（１２０、１３０、１４０）を含むことを特徴とする電子デバイス。
【請求項３】
少なくとも１つの正孔注入／輸送層を含む電子デバイスであって、前記少なくとも１つの正孔注入／輸送層の１層以上が請求項１の共重合体を含むことを特徴とするデバイス。
【請求項４】
少なくとも１つの電子注入／輸送層を含む電子デバイスであって、前記少なくとも１つの電子注入／輸送層の１層以上が請求項１の共重合体を含むことを特徴とするデバイス。
【手続補正２】
【補正対象書類名】明細書
【補正対象項目名】００５８
【補正方法】変更
【補正の内容】
【００５８】
好ましい実施形態であると今のところ考えられるものに関して本発明を記載してきたが、本発明が開示された実施形態に限定されないことは理解されるべきである。それとは反対に、本発明は、添付の特許請求の精神および範囲内に含まれる様々な修正および同等な手はずを包含することを意図される。次の特許請求の範囲は、すべてのかかる修正ならびに同等な処方および機能を包含するように最も広範な解釈を授けられるべきである。
以下に、本発明の好ましい態様を示す。
１．  少なくとも１種の第１モノマー単位と少なくとも１種の第２モノマー単位とを含む共重合体であって、該少なくとも１種の第１モノマー単位が図１に示される式Ｉを有し、かつ、該少なくとも１種の第２モノマー単位が（ｉ）図２に示される式ＩＩを有する芳香族基、（ｉｉ）図６に示される式ＩＩＩを有する６員環複素芳香族基、（ｉｉｉ）図７に示される式ＩＶを有する５員環複素芳香族基、（ｉｖ）図８に示される式Ｖを有する芳香族基、（ｖ）図９に示される式ＶＩ、図１０に示される式ＶＩＩ、および図１１に示される式ＶＩＩＩから式ＸＩを有する縮合環芳香族基、ならびに（ｖｉ）それらの組合せから選択され、
ここで、式Ｉ、ＩＩ、ＩＩＩ、ＩＶ、Ｖ、ＶＩ、ＶＩＩ、ＶＩＩＩ〜ＸＩの各々において、
Ｒは、各出現において同じまたは異なるものであり得る炭素原子上の置換基であり、かつ、水素、アルキル、アリール、ヘテロアルキル、ヘテロアリール、Ｆ、−ＣＮ、−ＯＲ1、−ＣＯ2Ｒ1、−ＣΨＨθＦλ、−ＯＣΨＨθＦλ、−ＳＲ1、−Ｎ（Ｒ1）2、−Ｐ（Ｒ1）2、−ＳＯＲ1、−ＳＯ2Ｒ1、−ＮＯ2、および図１２に示される式ＸＩＩを有しかつ「式ＸＩＩ」のもとで以下にさらに記載されるベータ−ジカルボニルから選択され、または隣接するＲ基は一緒になって５もしくは６員環シクロアルキル、アリール、またはヘテロアリール環を形成することができ、
（ここでＲ1は、各出現において同じまたは異なるものであり得るヘテロ原子上の置換基であり、かつ、アルキル、アリール、ヘテロアルキルおよびヘテロアリールから選択され、
Ψは１〜２０の間の整数であり、かつ、θおよびλは、下の方程式Ａ１
θ＋λ＝２Ψ＋１    （方程式Ａ１）
を満足する整数である）、
式ＩＩ、ＩＩＩ、ＩＶ、Ｖ、ＶＩ、ＶＩＩ、ＶＩＩＩ、およびＩＸの各々において、
Ｅは、各出現において同じまたは異なるものであることができ、かつ、単結合またはアリーレンおよびヘテロアリーレンから選択された連結基であり、
式ＩＶにおいて、
Ａは各出現において独立してＣまたはＮであり、そして、両ＡがＮである場合、γは０であり、またはＡの１つがＮであり、かつ、Ａの１つがＣである場合、γは１であり、または両ＡがＣである場合、γは２であるように、γは０、または１もしくは２から選択される整数であり、
ＱはＯ、Ｓ、ＳＯ2またはＮＲ1であり、
（ここで、Ｒ1は、各出現において同じまたは異なるものであり得るヘテロ原子上の置換基であり、かつ、アルキル、アリール、ヘテロアルキルおよびヘテロアリールから選択される）、
式Ｖにおいて、
Ｑ1はカルボニル基、Ｏ、Ｓ、ＳＯ2、またはＮＲ1であり
（ここで、Ｒ1は、各出現において同じまたは異なるものであり得るヘテロ原子上の置換基であり、かつ、アルキル、アリール、ヘテロアルキルおよびヘテロアリールから選択される）、
ＷはＨ，アルキルもしくはヘテロアルキルであり、またはＷの両方が一緒になって１つの単結合を表すことができ、
式ＶＩにおいて、
２つのＥは１，４−、１，５−、１，８−、２，３−、または２，６−位にあり、
式ＶＩＩにおいて、
２つのＥは１，４−、１，５−、１，８−、２，３−、２，６−、または９，１０−位にあり、
式ＶＩＩＩにおいて、
第１のＥは１、２、または３位にあり、第２のＥは６、７、または８位にあり、
式ＩＸにおいて、
第１のＥは２、３、または４位にあり、第２のＥは７、８、または９位にあり、および、
式ＸＩＩにおいて、
Ｒ2は水素、アルキル、アリール、ヘテロアルキルおよびヘテロアリールから選択され、
δは０または１〜１２の整数である
ことを特徴とする共重合体。
２．  少なくとも１種の第１モノマー単位の１つ以上におけるＲ基が独立して１〜３０個の炭素原子を有するアルキル基、１〜３０個の炭素原子とＳ、Ｎ、またはＯのうち１個以上のヘテロ原子とを有するヘテロアルキル基、６〜２０個の炭素原子を有するアリール基、および２〜２０個の炭素原子とＳ、Ｎ、またはＯのうち１個以上のヘテロ原子とを有するヘテロアリール基から選択されることを特徴とする１．に記載の共重合体。
３．  あらゆるビニレンモノマー単位を排除することを特徴とする１．に記載の共重合体。
４．  式Ｉ、式ＩＩ、式ＩＩＩ、式ＩＶ、式Ｖ、式ＶＩ、式ＶＩＩ、式ＶＩＩＩ、式ＩＸ、式Ｘ、および式ＸＩの各々における各Ｒ基が、
水素、
アルキル、
アリール、
ヘテロアルキル、
ヘテロアリール、
Ｆ、
−ＣＮ、
−Ｐ（Ｒ1）2および−ＳＯＲ1（ここで、Ｒ1は、各出現において同じまたは異なるものであり得るヘテロ原子上の置換基であり、かつ、アルキル、アリール、ヘテロアルキルおよびヘテロアリールから選択されるヘテロ原子上の置換基である）、
−ＮＯ2、
図１２に示される式ＸＩＩを有するベータ−ジカルボニル、
−ＣΨＨθＦλ、
−ＯＣΨＨθＦλ、
−ＯＲ1、−ＣＯ2Ｒ1、−ＳＲ1、−Ｎ（Ｒ1）2、および−ＳＯ2Ｒ1（ここで、Ｒ1は２０個よりも大きい炭素の直鎖もしくは分枝アルキルまたは直鎖もしくは分枝ヘテロアルキルである）
から選択されることを特徴とする１．に記載の共重合体。
５．  少なくとも１種の第１モノマー単位の１つ以上におけるＲ基の少なくとも１個が独立して直鎖および分枝のｎ−ブチル基、直鎖および分枝のイソ−ブチル基、直鎖および分枝のペンチル基、オレフィン性不飽和ありおよびなしのヘキシル基およびオクチル基、フェニル基、チオフェン基、カルバゾール基、アルコキシ基、フェノキシ基ならびにシアノ基から選択されることを特徴とする１．に記載の共重合体。
６．  少なくとも１種の第１モノマー単位の１つ以上におけるＲ基の少なくとも１個が独立してＨ、Ｃ6〜Ｃ12アルコキシ、フェノキシ、Ｃ6〜Ｃ12アルキル、フェニルおよびシアノから選択されることを特徴とする１．に記載の共重合体。
７．  少なくとも１種の第２モノマー単位の１つ以上が式ＩＩ（ａ）〜ＩＩ（ｚ）、ＩＩＩ（ａ）〜ＩＩＩ（ｇ）、ＩＶ（ａ）〜ＩＶ（ｈ）、Ｖ（ａ）〜Ｖ（ｅ）、ＶＩ（ａ）〜ＶＩ（ｄ）およびＶＩＩ（ａ）から選択され、
ここで、式ＩＩ（ｖ）〜ＩＩ（ｙ）、ＩＶ（ａ）、Ｖ（ａ）、およびＶＩ（ｂ）において、
Ｒは、式Ｉ、ＩＩ、ＩＩＩ、ＩＶ、Ｖ、ＶＩ、ＶＩＩ、ＶＩＩＩ〜ＸＩの各々については上記の通りであり、
式ＩＶ（ｈ）において、
Ｒ1は、各出現において同じまたは異なるものであり得るヘテロ原子上の置換基であり、かつ、アルキル、アリール、ヘテロアルキルおよびヘテロアリールから選択され、ならびに、
式Ｖ（ｅ）において、
Ｒ1は、各出現において同じまたは異なるものであり得るヘテロ原子上の置換基であり、かつ、アルキル、アリール、ヘテロアルキルおよびヘテロアリールから選択される
ことを特徴とする１．に記載の共重合体。
８．  少なくとも１種の第２モノマー単位の１つ以上が式ＩＩを有し、
式中、Ｒは、
水素、
アルキル、
アリール、
ヘテロアルキル、
ヘテロアリール、
Ｆ、
−ＣＮ、
−ＮＯ2、
図１２に示される式ＸＩＩを有するベータ−ジカルボニル、
−ＣΨＨθＦλ、
−ＯＣΨＨθＦλ、および
−Ｐ（Ｒ1）2、−ＳＯＲ1、−ＯＲ1、−ＣＯ2Ｒ1、−ＳＲ1、−Ｎ（Ｒ1）2、および−ＳＯ2Ｒ1（ここで、Ｒ1は、炭素数１〜２０個の直鎖もしくは分枝アルキルまたは直鎖もしくは分枝ヘテロアルキルである）
から選択される
ことを特徴とする１．に記載の共重合体。
９．  少なくとも１種の第２モノマー単位の１つ以上が式ＩＩを有し、
式中、Ｒは、
１〜１２個の炭素原子を有する部分的にまたは完全にフッ素化されたアルキル基、
１〜１２個の炭素原子を有するアルコキシ基、
３〜１５個の炭素原子を有するエステル、
−ＳＲ1、−Ｎ（Ｒ1）2、−Ｐ（Ｒ1）2、−ＳＯＲ1、−ＳＯ2Ｒ1（ここで、Ｒ1は１〜１２個の炭素原子を有するアルキル基である）、
−ＮＯ2、および
図１２に示される式ＸＩＩを有するベータ−ジカルボニル
（ここで、式ＸＩＩにおいて、
Ｒ2は１〜１２個の炭素原子を有するアルキル基であり、かつ、δは０、１、または２である）
ことを特徴とする請求項１に記載の共重合体。
１０．  １．〜９．のうちのいずれか１項以上の共重合体を含む少なくとも１つの電子活性層（１２０、１３０、１４０）を含むことを特徴とする電子デバイス。
１１．  少なくとも１つの正孔注入／輸送層を含む電子デバイスであって、前記少なくとも１つの正孔注入／輸送層の１層以上が１．〜９．のうちのいずれか１項以上の共重合体を含むことを特徴とするデバイス。
１２．  少なくとも１つの電子注入／輸送層を含む電子デバイスであって、前記少なくとも１つの電子注入／輸送層の１層以上が１．〜９．のうちのいずれか１項以上の共重合体を含むことを特徴とするデバイス。
１３．  芳香族基を含むエンドキャッピング基をさらに含むことを特徴とする請求項１．〜９．のうちのいずれか１項以上に記載の共重合体。
１４．  発光デバイス、光検出器、およびは光起電性デバイスからなる群から選択されることを特徴とする１０．に記載のデバイス。